(57)【特許請求の範囲】
【請求項１】
コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備え、
前記出力特性測定手段は、
前記所定時間に前記ワイヤレススピーカから出力されたオーディオ信号の出力音量レベルを前記出力特性として逐次測定し、
前記入力特性受信手段は、前記所定時間内に前記コントローラが備えるマイクに入力されたオーディオ信号の入力音量レベルを前記入力特性として逐次受信し、
前記判断手段は、
前記出力特性測定手段により測定された最新の出力音量レベルに対する、前記入力特性受信手段により受信された最新の入力音量レベルの比率が所定値以上低下した場合に、前記リスナーが前記ワイヤレススピーカ周辺から離れたと判断する
ことを特徴とするワイヤレススピーカ。
【請求項２】
コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、
前記コントローラから復旧指示を受信する復旧指示受信手段と、を備え、
前記制御手段は、
前記判断手段により前記リスナーが前記ワイヤレススピーカ周辺から離れたと判断された場合に、音量ボリュームの設定値を復旧レベルとして記憶するとともに、当該音量ボリュームの設定値をゼロレベルに変更することにより、前記オーディオ信号の出力を停止し、
前記オーディオ信号の出力停止から所定のタイムアウト時間内に前記復旧指示受信手段が前記復旧指示を受信したならば、前記音量ボリュームの設定値をゼロレベルから前記復旧レベルに変更し、前記復旧指示を受信していないならば、前記オーディオ信号の再生を停止する
ことを特徴とするワイヤレススピーカ。
【請求項３】
請求項２に記載のワイヤレススピーカであって、
前記出力特性測定手段は、
前記所定時間内に前記ワイヤレススピーカから出力されたオーディオ信号の出力波形を前記出力特性として逐次測定し、
前記入力特性受信手段は、
前記所定時間内に前記コントローラが備えるマイクに入力されたオーディオ信号の入力波形を前記入力特性として逐次受信し、
前記判断手段は、
前記出力特性測定手段により測定された最新の出力波形に対する前記入力特性受信手段により受信された最新の入力波形の遅延時間が所定時間以上となった場合に、前記リスナーが前記ワイヤレススピーカ周辺から離れたと判断する
ことを特徴とするワイヤレススピーカ。
【請求項４】
オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、を備え、
前記入力特性測定手段は、
前記所定時間内に前記マイクに入力されたオーディオ信号の入力音量レベルを前記入力特性として逐次測定し、
前記出力特性受信手段は、
前記所定時間内に前記ワイヤレススピーカから出力されたオーディオ信号の出力音量レベルを前記出力特性として逐次受信し、
前記判断手段は、
前記出力特性受信手段により受信された最新の出力音量レベルに対する、前記入力特性測定手段により測定された最新の入力音量レベルの比率が所定値以上低下した場合に、前記リスナーが前記ワイヤレススピーカ周辺から離れたと判断する
ことを特徴とするコントローラ。
【請求項５】
オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、
前記リスナーの指示に従い、前記出力停止指示送信手段が送信した前記出力停止指示により停止されたオーディオ信号の出力を再開させるための復旧指示を前記ワイヤレススピーカに送信する復旧指示送信手段と、
前記出力停止指示送信手段が前記出力停止指示を送信してから、前記復旧指示送信手段により前記復旧指示が送信されることなく、所定のタイムアウト時間の経過によりタイムアウトした場合に、前記ワイヤレススピーカの電源をオフにするための電源オフ指示を前記ワイヤレススピーカに送信する電源オフ指示送信手段と、を備える
ことを特徴とするコントローラ。
【請求項６】
請求項５に記載のコントローラであって、
前記入力特性測定手段は、
前記所定時間内に前記マイクに入力されたオーディオ信号の入力波形を前記入力特性として逐次測定し、
前記出力特性受信手段は、
前記所定時間内に前記ワイヤレススピーカから出力されたオーディオ信号の出力波形を前記出力特性として逐次受信し、
前記判断手段は、
前記出力特性受信手段により受信された最新の出力波形に対する、前記入力特性測定手段により測定された最新の入力波形の遅延時間が所定時間以上となった場合に、前記リスナーが前記ワイヤレススピーカ周辺から離れたと判断する
ことを特徴とするコントローラ。
【請求項７】
オーディオ信号を再生し出力するワイヤレススピーカと、前記ワイヤレススピーカを遠隔操作するコントローラと、を備えたワイヤレスオーディオシステムであって、
前記ワイヤレススピーカは、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備え、
前記コントローラは、
マイクと、
前記所定時間内に前記マイクに入力されたオーディオ信号の入力特性を逐次測定する入力特性測定手段と、
前記入力特性測定手段により逐次測定された前記入力特性を前記ワイヤレススピーカに逐次送信する入力特性送信手段と、を備える
ことを特徴とするワイヤレスオーディオシステム。
【請求項８】
請求項７に記載のワイヤレスオーディオシステムであって、
前記出力特性測定手段は、
前記所定時間に前記ワイヤレススピーカから出力されたオーディオ信号の出力音量レベルを前記出力特性として逐次測定し、
前記入力特性受信手段は、前記所定時間内に前記コントローラが備えるマイクに入力されたオーディオ信号の入力音量レベルを前記入力特性として逐次受信し、
前記判断手段は、
前記出力特性測定手段により測定された最新の出力音量レベルに対する、前記入力特性受信手段により受信された最新の入力音量レベルの比率が所定値以上低下した場合に、前記リスナーが前記ワイヤレススピーカ周辺から離れたと判断する
ことを特徴とするワイヤレスオーディオシステム。
【請求項９】
請求項７に記載のワイヤレスオーディオシステムであって、
前記出力特性測定手段は、
前記所定時間内に前記ワイヤレススピーカから出力されたオーディオ信号の出力波形を前記出力特性として逐次測定し、
前記入力特性受信手段は、
前記所定時間内に前記コントローラが備えるマイクに入力されたオーディオ信号の入力波形を前記入力特性として逐次受信し、
前記判断手段は、
前記出力特性測定手段により測定された最新の出力波形に対する前記入力特性受信手段により受信された最新の入力波形の遅延時間が所定時間以上となった場合に、前記リスナーが前記ワイヤレススピーカ周辺から離れたと判断する
ことを特徴とするワイヤレスオーディオシステム。
【請求項１０】
請求項７ないし９に記載のワイヤレスオーディオシステムであって、
前記ワイヤレススピーカは、
前記コントローラから復旧指示を受信する復旧指示受信手段をさらに備え、
前記制御手段は、
前記判断手段により前記リスナーが前記ワイヤレススピーカ周辺から離れたと判断された場合に、音量ボリュームの設定値を復旧レベルとして記憶するとともに、当該音量ボリュームの設定値をゼロレベルに変更することにより、前記オーディオ信号の出力を停止し、
前記オーディオ信号の出力停止から所定のタイムアウト時間内に前記復旧指示受信手段が前記復旧指示を受信したならば、前記音量ボリュームの設定値をゼロレベルから前記復旧レベルに変更し、前記復旧指示を受信していないならば、前記オーディオ信号の再生を停止する
ことを特徴とするワイヤレスオーディオシステム。
【請求項１１】
オーディオ信号を再生し出力するワイヤレススピーカと、前記ワイヤレススピーカを遠隔操作するコントローラと、を備えたワイヤレスオーディオシステムであって、
前記ワイヤレススピーカは、
前記所定時間内に当該ワイヤレススピーカから出力されたオーディオ信号の出力特性を逐次測定する出力特性測定手段と、
前記出力特性測定手段により逐次測定された前記出力特性を前記コントローラに逐次送信する出力特性送信手段と、を備え、
前記コントローラは、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、を備える
ことを特徴するワイヤレスオーディオシステム。
【請求項１２】
請求項１１に記載のワイヤレスオーディオシステムであって、
前記入力特性測定手段は、
前記所定時間内に前記マイクに入力されたオーディオ信号の入力音量レベルを前記入力特性として逐次測定し、
前記出力特性受信手段は、
前記所定時間内に前記ワイヤレススピーカから出力されたオーディオ信号の出力音量レベルを前記出力特性として逐次受信し、
前記判断手段は、
前記出力特性受信手段により受信された最新の出力音量レベルに対する、前記入力特性測定手段により測定された最新の入力音量レベルの比率が所定値以上低下した場合に、前記リスナーが前記ワイヤレススピーカ周辺から離れたと判断する
ことを特徴とするワイヤレスオーディオシステム。
【請求項１３】
請求項１１に記載のワイヤレスオーディオシステムであって、
前記入力特性測定手段は、
前記所定時間内に前記マイクに入力されたオーディオ信号の入力波形を前記入力特性として逐次測定し、
前記出力特性受信手段は、
前記所定時間内に前記ワイヤレススピーカから出力されたオーディオ信号の出力波形を前記出力特性として逐次受信し、
前記判断手段は、
前記出力特性受信手段により受信された最新の出力波形に対する、前記入力特性測定手段により測定された最新の入力波形の遅延時間が所定時間以上となった場合に、前記リスナーが前記ワイヤレススピーカ周辺から離れたと判断する
ことを特徴とするワイヤレスオーディオシステム。
【請求項１４】
請求項１１ないし１３のいずれか一項に記載のワイヤレスオーディオシステムであって、
前記コントローラは、
前記リスナーの指示に従い、前記出力停止指示送信手段が送信した前記出力停止指示により停止されたオーディオ信号の出力を再開させるための復旧指示を前記ワイヤレススピーカに送信する復旧指示送信手段と、
前記出力停止指示送信手段が前記出力停止指示を送信してから、前記復旧指示送信手段により前記復旧指示が送信されることなく、所定のタイムアウト時間の経過によりタイムアウトした場合に、前記ワイヤレススピーカの電源をオフにするための電源オフ指示を前記ワイヤレススピーカに送信する電源オフ指示送信手段と、をさらに備える
ことを特徴とするワイヤレスオーディオシステム。
【請求項１５】
コンピュータで読み取り可能なプログラムであって、
前記プログラムは、前記コンピュータを、
コントローラの遠隔操作に従いオーディオ信号を再生し出力するワイヤレススピーカとして機能させ、
前記ワイヤレススピーカは、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備え、
前記出力特性測定手段は、
前記所定時間に前記ワイヤレススピーカから出力されたオーディオ信号の出力音量レベルを前記出力特性として逐次測定し、
前記入力特性受信手段は、前記所定時間内に前記コントローラが備えるマイクに入力されたオーディオ信号の入力音量レベルを前記入力特性として逐次受信し、
前記判断手段は、
前記出力特性測定手段により測定された最新の出力音量レベルに対する、前記入力特性受信手段により受信された最新の入力音量レベルの比率が所定値以上低下した場合に、前記リスナーが前記ワイヤレススピーカ周辺から離れたと判断する
ことを特徴とするコンピュータで読み取り可能なプログラム。
【請求項１６】
コンピュータで読み取り可能なプログラムであって、
前記プログラムは、前記コンピュータを、
コントローラの遠隔操作に従いオーディオ信号を再生し出力するワイヤレススピーカとして機能させ、
前記ワイヤレススピーカは、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、
前記コントローラから復旧指示を受信する復旧指示受信手段と、を備え、
前記制御手段は、
前記判断手段により前記リスナーが前記ワイヤレススピーカ周辺から離れたと判断された場合に、音量ボリュームの設定値を復旧レベルとして記憶するとともに、当該音量ボリュームの設定値をゼロレベルに変更することにより、前記オーディオ信号の出力を停止し、
前記オーディオ信号の出力停止から所定のタイムアウト時間内に前記復旧指示受信手段が前記復旧指示を受信したならば、前記音量ボリュームの設定値をゼロレベルから前記復旧レベルに変更し、前記復旧指示を受信していないならば、前記オーディオ信号の再生を停止する
ことを特徴とするコンピュータで読み取り可能なプログラム。
【請求項１７】
コンピュータで読み取り可能なプログラムであって、
前記プログラムは、前記コンピュータを、
オーディオ信号を再生し出力するワイヤレススピーカを遠隔操作するコントローラとして機能させ、
前記コントローラは、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、前記オーディオ信号の出力を停止させるための出力停止指示を前記ワイヤレススピーカに送信する出力停止指示送信手段と、を備え、
前記入力特性測定手段は、
前記所定時間内に前記マイクに入力されたオーディオ信号の入力音量レベルを前記入力特性として逐次測定し、
前記出力特性受信手段は、
前記所定時間内に前記ワイヤレススピーカから出力されたオーディオ信号の出力音量レベルを前記出力特性として逐次受信し、
前記判断手段は、
前記出力特性受信手段により受信された最新の出力音量レベルに対する、前記入力特性測定手段により測定された最新の入力音量レベルの比率が所定値以上低下した場合に、前記リスナーが前記ワイヤレススピーカ周辺から離れたと判断する
ことを特徴とするコンピュータで読み取り可能なプログラム。
【請求項１８】
コンピュータで読み取り可能なプログラムであって、
前記プログラムは、前記コンピュータを、
オーディオ信号を再生し出力するワイヤレススピーカを遠隔操作するコントローラとして機能させ、
前記コントローラは、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、
前記リスナーの指示に従い、前記出力停止指示送信手段が送信した前記出力停止指示により停止されたオーディオ信号の出力を再開させるための復旧指示を前記ワイヤレススピーカに送信する復旧指示送信手段と、
前記出力停止指示送信手段が前記出力停止指示を送信してから、前記復旧指示送信手段により前記復旧指示が送信されることなく、所定のタイムアウト時間の経過によりタイムアウトした場合に、前記ワイヤレススピーカの電源をオフにするための電源オフ指示を前記ワイヤレススピーカに送信する電源オフ指示送信手段と、を備える
ことを特徴とするコンピュータで読み取り可能なプログラム。
【発明の詳細な説明】
【技術分野】
【０００１】
本発明は、ワイヤレススピーカの制御技術に関する。
【背景技術】
【０００２】
特許文献１には、複数のグループに分類された複数のワイヤレススピーカを備え、グループ毎に異なる楽曲データを再生可能なワイヤレスオーディオシステムが開示されている。このワイヤレスオーディオシステムでは、グループ毎に、そのグループに属する複数のワイヤレススピーカがアービトレーションを実施して、これらのワイヤレススピーカのなかから一台のワイヤレススピーカを選出する。そして、選出されたワイヤレススピーカがグループリーダとなり、同じグループに属する複数のワイヤレススピーカに対する操作をユーザから受け付けて、これらのワイヤレススピーカにコントロール信号を送信する。このワイヤレスオーディオシステムによれば、例えば、複数の部屋のそれぞれに複数のワイヤレススピーカを設置し、同じ部屋に設置されたワイヤレススピーカを同じグループに設定することにより、部屋毎に異なる楽曲データを再生することができる。
【０００３】
また、特許文献２には、ワイヤレススピーカの待機電力を低減する技術が開示されている。この技術において、ワイヤレススピーカは、オーディオプレーヤからコマンドデータをワイヤレス受信するための受信回路を備え、この受信回路によりオーディオプレーヤから電源オフのコマンドデータをワイヤレス受信すると、メイン電源をオフにするとともに、サブ電源によってこの受信回路を間欠動作させる。
【先行技術文献】
【特許文献】
【０００４】
【特許文献１】米国特許第７９８７２９４号明細書
【特許文献２】特開２００６−６７３３６号公報
【発明の概要】
【発明が解決しようとする課題】
【０００５】
ところで、特許文献１に記載のワイヤレスオーディオシステムでは、楽曲データを出力中のワイヤレススピーカが設置されている部屋のリスナーが、楽曲データの出力を停止することなく退室し、そのまま部屋に戻ってこなかった場合、誰も聴取していないにもかかわらず、オーディオ信号の出力が継続されることとなり、電力を無駄に消費してしまうという問題がある。なお、特許文献２に記載の技術は、ワイヤレススピーカの待機電力を低減する技術であり、無駄なオーディオ信号の出力による消費電力の低減については何ら考慮していない。
【０００６】
本発明は上記事情に鑑みてなされたものであり、その目的は、無駄なオーディオ信号の出力を抑制して電力消費を低減することができる技術を提供することにある。
【課題を解決するための手段】
【０００７】
上記課題を解決するために、本発明では、ワイヤレススピーカから出力されたオーディオ信号と、ユーザが携帯するコントローラのマイクに入力されたオーディオ信号とを比較し、この比較結果から、ユーザがワイヤレススピーカ周辺から離れたか否かを判断している。そして、リスナーがワイヤレススピーカ周辺から離れたと判断した場合に、ワイヤレススピーカからのオーディオ信号の出力を停止する。
【０００８】
例えば、本発明のワイヤレススピーカは、
コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、を備え、
前記出力特性測定手段は、
前記所定時間に前記ワイヤレススピーカから出力されたオーディオ信号の出力音量レベルを前記出力特性として逐次測定し、
前記入力特性受信手段は、前記所定時間内に前記コントローラが備えるマイクに入力されたオーディオ信号の入力音量レベルを前記入力特性として逐次受信し、
前記判断手段は、
前記出力特性測定手段により測定された最新の出力音量レベルに対する、前記入力特性受信手段により受信された最新の入力音量レベルの比率が所定値以上低下した場合に、前記リスナーが前記ワイヤレススピーカ周辺から離れたと判断する。
【０００９】
また、本発明の他の態様のワイヤレススピーカは、
コントローラの遠隔操作に従いオーディオ信号を再生し出力するワイヤレススピーカであって、
所定時間内に出力されたオーディオ信号の出力特性を逐次測定する出力特性測定手段と、
前記コントローラから、前記所定時間内に当該コントローラが備えるマイクに入力されたオーディオ信号の入力特性を逐次受信する入力特性受信手段と、
前記出力特性測定手段により測定された最新の出力特性および前記入力特性受信手段により受信された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止する制御手段と、
前記コントローラから復旧指示を受信する復旧指示受信手段と、を備え、
前記制御手段は、
前記判断手段により前記リスナーが前記ワイヤレススピーカ周辺から離れたと判断された場合に、音量ボリュームの設定値を復旧レベルとして記憶するとともに、当該音量ボリュームの設定値をゼロレベルに変更することにより、前記オーディオ信号の出力を停止し、
前記オーディオ信号の出力停止から所定のタイムアウト時間内に前記復旧指示受信手段が前記復旧指示を受信したならば、前記音量ボリュームの設定値をゼロレベルから前記復旧レベルに変更し、前記復旧指示を受信していないならば、前記オーディオ信号の再生を停止する。
【００１０】
ここで、前記出力特性測定手段は、前記所定時間内に前記ワイヤレススピーカから出力されたオーディオ信号の出力波形を前記出力特性として逐次測定し、前記入力特性受信手段は、前記所定時間内に前記コントローラが備えるマイクに入力されたオーディオ信号の入力波形を前記入力特性として逐次受信してもよい。そして、前記判断手段は、前記出力特性測定手段により測定された最新の出力波形に対する前記入力特性受信手段により受信された最新の入力波形の遅延時間が所定時間以上となった場合に、前記リスナーが前記ワイヤレススピーカ周辺から離れたと判断してもよい。
【００１１】
また、本発明のコントローラは、
オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、前記オーディオ信号の出力を停止させるための出力停止指示を前記ワイヤレススピーカに送信する出力停止指示送信手段と、を備え、
前記入力特性測定手段は、
前記所定時間内に前記マイクに入力されたオーディオ信号の入力音量レベルを前記入力特性として逐次測定し、
前記出力特性受信手段は、
前記所定時間内に前記ワイヤレススピーカから出力されたオーディオ信号の出力音量レベルを前記出力特性として逐次受信し、
前記判断手段は、
前記出力特性受信手段により受信された最新の出力音量レベルに対する、前記入力特性測定手段により測定された最新の入力音量レベルの比率が所定値以上低下した場合に、前記リスナーが前記ワイヤレススピーカ周辺から離れたと判断する。
【００１２】
また、本発明の他の態様のコントローラは、
オーディオ信号を再生し出力するワイヤレススピーカを遠隔操作するコントローラであって、
マイクと、
所定時間内に前記マイクに入力されたオーディオ信号の入力特性を逐次測定する入力特性測定手段と、
前記ワイヤレススピーカから、前記所定時間内に当該ワイヤレススピーカから出力されたオーディオ信号の出力特性を逐次受信する出力特性受信手段と、
前記出力特性受信手段により受信された最新の出力特性および前記入力特性測定手段により測定された最新の入力特性を比較し、比較結果に基づいて、前記コントローラを携帯するリスナーが前記ワイヤレススピーカ周辺から離れたか否かを判断する判断手段と、
前記判断手段により前記リスナーが前記ワイヤレススピーカ周辺から離れたと判断された場合に、オーディオ信号の出力を停止させるための出力停止指示を前記ワイヤレススピーカに送信する出力停止指示送信手段と、
前記リスナーの指示に従い、前記出力停止指示送信手段が送信した前記出力停止指示により停止されたオーディオ信号の出力を再開させるための復旧指示を前記ワイヤレススピーカに送信する復旧指示送信手段と、
前記出力停止指示送信手段が前記出力停止指示を送信してから、前記復旧指示送信手段により前記復旧指示が送信されることなく、所定のタイムアウト時間の経過によりタイムアウトした場合に、前記ワイヤレススピーカの電源をオフにするための電源オフ指示を前記ワイヤレススピーカに送信する電源オフ指示送信手段と、を備える。
【００１３】
ここで、前記入力特性測定手段は、前記所定時間内に前記マイクに入力されたオーディオ信号の入力波形を前記入力特性として逐次測定し、前記出力特性受信手段は、前記所定時間内に前記ワイヤレススピーカから出力されたオーディオ信号の出力波形を前記出力特性として逐次受信してもよい。そして、前記判断手段は、前記出力特性受信手段により受信された最新の出力波形に対する、前記入力特性測定手段により測定された最新の入力波形の遅延時間が所定時間以上となった場合に、前記リスナーが前記ワイヤレススピーカ周辺から離れたと判断してもよい。
【発明の効果】
【００１４】
本発明では、ワイヤレススピーカから出力されたオーディオ信号とコントローラのマイクに入力されたオーディオ信号とを比較し、この比較結果から、このコントローラを携帯するリスナーがワイヤレススピーカ周辺から離れたか否かを判断している。そして、リスナーがワイヤレススピーカ周辺から離れたと判断した場合に、ワイヤレススピーカからのオーディオ信号の出力を停止する。このため、オーディオ信号を出力中のワイヤレススピーカが設置されている部屋のリスナーが、オーディオ信号の出力を停止することなく退室した場合に、オーディオ信号の出力を自動で停止することができるので、無駄なオーディオ信号の出力を抑制して電力消費を低減することができる。
【図面の簡単な説明】
【００１５】
【図１】図１は、本発明の第一実施の形態に係るワイヤレスオーディオシステムの概略構成図である。
【図２】図２は、本発明の第一実施の形態に係るワイヤレスオーディオシステムの動作を説明するためのシーケンス図である。
【図３】図３は、ワイヤレススピーカ１の概略機能構成図である。
【図４】図４は、ワイヤレススピーカ１の動作を説明するためのフロー図である。
【図５】図５は、オーディオコントローラ２の概略機能構成図である。
【図６】図６は、オーディオコントローラ２の動作を説明するためのフロー図である。
【図７】図７は、本発明の第二実施の形態に係るワイヤレスオーディオシステムの動作を説明するためのシーケンス図である。
【図８】図８は、ワイヤレススピーカ１ａの概略機能構成図である。
【図９】図９は、ワイヤレススピーカ１ａの動作を説明するためのフロー図である。
【図１０】図１０は、オーディオコントローラ２ａの概略機能構成図である。
【図１１】図１１は、オーディオコントローラ２ａの動作を説明するためのフロー図である。
【発明を実施するための形態】
【００１６】
以下、本発明の実施の形態について、図面を参照して説明する。
【００１７】
［第一実施の形態］
図１は、本発明の第一実施の形態に係るワイヤレスオーディオシステムの概略構成図である。
【００１８】
図示するように、本実施の形態に係るワイヤレスオーディオシステムは、それぞれＩＤが付与された複数のワイヤレススピーカ１−１〜１−３（以下、単にワイヤレススピーカ１とも呼ぶ）と、マイクを備えた携帯端末であるオーディオコントローラ２と、ネットワーク５に接続されたメディアサーバ３およびアクセスポイント４と、を備えて構成されている。ここで、ワイヤレススピーカ１−１〜１−３は、それぞれ個別の部屋Ａ〜Ｃ号室に設置されているものとする。
【００１９】
ワイヤレススピーカ１は、アクセスポイント４を介してオーディオコントローラ２およびメディアサーバ３に接続されており、オーディオコントローラ２から受信した再生指示に従いメディアサーバ３から楽曲データを取得してオーディオ信号に再生し出力する。また、ワイヤレススピーカ１は、所定時間内にワイヤレススピーカ１から出力されたオーディオ信号の出力音量レベルを逐次測定するとともに、オーディオコントローラ２からオーディオ信号の入力音量レベルを逐次受信する。そして、受信した最新の入力音量レベルと測定した最新の出力音量レベルとを比較して、オーディオコントローラ２を携帯するリスナーが自ワイヤレススピーカ１の設置部屋から退室したか否かを判断し、退室したと判断した場合にオーディオ信号の出力を停止する。
【００２０】
オーディオコントローラ２も、アクセスポイント４を介してワイヤレススピーカ１およびメディアサーバ３に接続されており、メディアサーバ３に格納されている楽曲データのなかからリスナーによって選択された楽曲データの指定を含む再生指示を、楽曲データの出力先ワイヤレススピーカ１に送信する。また、オーディオコントローラ２は、逐次、所定時間内にマイクに入力されたオーディオ信号の入力音量レベルを測定して、楽曲データの出力先ワイヤレススピーカ１に送信する。
【００２１】
図２は、本実施の形態に係るワイヤレスオーディオシステムの動作を説明するためのフロー図である。ここでは、オーディオコントローラ２を携帯するリスナーがＡ号室に設置されたワイヤレススピーカ１−１を用いて楽曲を楽しむ場合を例にとり説明している。
【００２２】
まず、オーディオコントローラ２は、オーディオコントローラ２を携帯するＡ号室に在室中のリスナーから、再生対象の楽曲データおよび楽曲データの出力先となるワイヤレススピーカ１−１のＩＤの指定を伴う選曲操作を受け付けると（Ｓ１００）、再生対象の楽曲データおよびワイヤレススピーカ１−１のＩＤの指定を伴う再生指示をネットワーク５上に同報送信する（Ｓ１０１）。また、オーディオコントローラ２が備えるマイクをオンにする（Ｓ１０２）。
【００２３】
つぎに、ワイヤレススピーカ１−１は、自ワイヤレススピーカ１−１のＩＤの指定を伴う再生指示をネットワーク５から受信すると、この再生指示で指定されている楽曲データの指定を伴う楽曲データ要求をメディアサーバ３に送信する（Ｓ１０３）。これを受けて、メディアサーバ３は、自メディアサーバ３に格納している楽曲データのなかから、ワイヤレススピーカ１−１から受信した楽曲データ要求で指定されている楽曲データを特定し、この楽曲データをワイヤレススピーカ１−１に送信する（Ｓ１０４）。ワイヤレススピーカ１−１は、メディアサーバ３から楽曲データを受信すると、この楽曲データのオーディオ信号への再生および再生されたオーディオ信号の出力を開始する（Ｓ１０５）。また、ワイヤレススピーカ１−１は、所定間隔Ｔ１（例えば１秒）毎に、所定時間Ｔ２（例えば１秒）内に出力されたオーディオ信号の出力音量レベルＶｏｕｔの測定を開始する（Ｓ１０６）。
【００２４】
一方、オーディオコントローラ２は、ワイヤレススピーカ１−１から出力されたオーディオ信号が、自オーディオコントローラ２が備えるマイクに入力されたことを検知すると（Ｓ１０７）、所定間隔Ｔ１毎に、所定時間Ｔ２内にマイクに入力されたオーディオ信号の入力音量レベルＶｉｎの測定を開始する（Ｓ１０８）。そして、オーディオコントローラ２は、入力音量レベルＶｉｎが新たに測定される毎に、この新たに測定された入力音量レベルＶｉｎおよびワイヤレススピーカ１−１のＩＤの指定を伴う入力音量レベル通知（Ｖｉｎ通知）をネットワーク５上に同報送信する（Ｓ１０９）。
【００２５】
これを受けて、ワイヤレススピーカ１−１は、自ワイヤレススピーカ１−１のＩＤの指定を伴う入力音量レベル通知の受信をネットワーク５から開始する（Ｓ１１０）。そして、入力音量レベル通知を新たに受信する毎に、この新たに受信した入力音量レベル通知に含まれている入力音量レベルＶｉｎの、自ワイヤレススピーカ１−１で新たに測定された出力音量レベルＶｏｕｔに対する割合を示す音量レベル比Ｖｉｎ／Ｖｏｕｔを求め、この音量レベル比Ｖｉｎ／Ｖｏｕｔの変化を監視する（Ｓ１１１）。
【００２６】
ここで、オーディオコントローラ２を携帯するリスナーがＡ号室から退室し（Ｓ１１２）、これにより、オーディオコントローラ２のマイクに入力されるオーディオ信号の入力音量レベルＶｉｎが小さくなり、その結果、ワイヤレススピーカ１−１で算出される音量レベル比Ｖｉｎ／Ｖｏｕｔが急激に低下したものとする。ワイヤレススピーカ１−１は、所定時間Ｔ３（例えば４〜６秒）内に音量レベル比Ｖｉｎ／Ｖｏｕｔが所定値Ｐ（例えば５ｄＢ）以上低下したことを検出すると（Ｓ１１３）、リスナーがＡ号室から退室したと判断し、自ワイヤレススピーカ１−１の音量ボリュームＶｏｌの値をレジューム情報として登録するとともに、音量ボリュームＶｏｌをゼロ値に変更してオーディオ信号の出力を停止する（Ｓ１１４）。その後、所定のタイムアウト時間Ｔ４（例えば３分）が経過するのを待つ。
【００２７】
その後、タイムアウト時間Ｔ４の経過前に、オーディオコントローラ２を携帯するリスナーがＡ号室に再び入室したものとする（Ｓ１１５）。オーディオコントローラ２は、ワイヤレススピーカ１−１のＩＤの指定を伴う復旧操作をリスナーから受け付けると（Ｓ１１６）、ワイヤレススピーカ１−１のＩＤの指定を伴う復旧指示をネットワーク５上に同報送信する（Ｓ１１７）。
【００２８】
ワイヤレススピーカ１−１は、オーディオ信号の出力停止後、タイムアウト時間Ｔ４の経過前に、自ワイヤレススピーカ１−１のＩＤの指定を伴う復旧指示をネットワーク５から受信すると、音量ボリュームＶｏｌの値を、ゼロ値から、レジューム情報として登録された値に変更して、オーディオ信号の出力を再開する（Ｓ１１８）。
【００２９】
その後、オーディオコントローラ２を携帯するリスナーがＡ号室から再び退室し（Ｓ１１９）、これにより、オーディオコントローラ２のマイクに入力されるオーディオ信号の入力音量レベルＶｉｎが小さくなり、その結果、ワイヤレススピーカ１−１で算出される音量レベル比Ｖｉｎ／Ｖｏｕｔが急激に低下したものとする。ワイヤレススピーカ１−１は、所定時間Ｔ３内に音量レベル比Ｖｉｎ／Ｖｏｕｔが所定値Ｐ以上低下したことを検出すると（Ｓ１２０）、リスナーがＡ号室から退室したと判断し、自ワイヤレススピーカ１−１の音量ボリュームＶｏｌの値をレジューム情報として登録するとともに、音量ボリュームＶｏｌをゼロ値に変更してオーディオ信号の出力を停止する（Ｓ１２１）。その後、タイムアウト時間Ｔ４が経過するのを待つ。
【００３０】
オーディオコントローラ２を携帯するリスナーがＡ号室に再び入室することなく、タイムアウト時間Ｔ４を経過すると、ワイヤレススピーカ１−１は、タイムアウトを検出し（Ｓ１２２）、楽曲データのオーディオ信号への再生を停止して電源をオフにする（Ｓ１２３）。
【００３１】
つぎに、本実施の形態に係るワイヤレスオーディオシステムのワイヤレススピーカ１およびオーディオコントローラ２の詳細について説明する。なお、メディアサーバ３およびアクセスポイント４には、既存のメディアサーバおよびアクセスポイントを利用できるので、その詳細な説明を省略している。
【００３２】
まず、ワイヤレススピーカ１について説明する。
【００３３】
図３は、ワイヤレススピーカ１の概略機能構成図である。この図に示すワイヤレススピーカ１の機能構成は、例えば、ＣＰＵと、メモリと、フラッシュメモリ等の補助記憶装置と、無線ＬＡＮアダプタ等の無線通信装置と、スピーカと、を備えたコンピュータにおいて、ＣＰＵが所定のプログラムを補助記憶装置からメモリ上にロードして実行することにより実現される。
【００３４】
図示するように、ワイヤレススピーカ１は、スピーカ部１０と、ワイヤレスネットワークインターフェース部１１と、指示受付部１２と、楽曲データ取得部１３と、楽曲データ記憶部１４と、楽曲データ再生部１５と、出力音量レベル測定部１６と、入力音量レベル受信部１７と、退室判断部１８と、主制御部１９と、を備えている。
【００３５】
ワイヤレスネットワークインターフェース部１１は、アクセスポイント４を介してオーディオコントローラ２と通信したり、ネットワーク５に接続されたメディアサーバ３と通信したりするためのインターフェースである。
【００３６】
指示受付部１２は、ワイヤレスネットワークインターフェース部１１を介してオーディオコントローラ２から、自ワイヤレススピーカ１のＩＤが付与された各種指示を受け付ける。
【００３７】
楽曲データ取得部１３は、再生対象の楽曲データの指定を含む楽曲データ要求を、ワイヤレスネットワークインターフェース部１１を介してメディアサーバ３に送信して、再生対象の楽曲データをメディアサーバ３から取得する。
【００３８】
楽曲データ記憶部１４は、楽曲データ取得部１３がメディアサーバ３から取得した楽曲データを記憶する。
【００３９】
楽曲データ再生部１５は、楽曲データ記憶部１４に記憶されている楽曲データをオーディオ信号に再生してスピーカ部１０から出力する。
【００４０】
出力音量レベル測定部１６は、所定間隔Ｔ１（例えば１秒）毎に、所定時間Ｔ２（例えば１秒）内に楽曲データ再生部１５によってスピーカ部１０から出力されたオーディオ信号の出力音量の平均値である出力音量レベルＶｏｕｔを測定する。
【００４１】
入力音量レベル受信部１７は、オーディオコントローラ２から定期的に送信される自ワイヤレススピーカ１のＩＤを伴う入力音量レベル通知を、ワイヤレスネットワークインターフェース部１１を介して受信する。
【００４２】
退室判断部１８は、自ワイヤレススピーカ１のＩＤを伴う入力音量レベル通知を入力音量レベル受信部１７が新たに受信する毎に、この入力音量レベル通知に含まれている入力音量レベルＶｉｎの、出力音量レベル測定部１６で測定された最新の出力音量レベルＶｏｕｔに対する割合を示す音量レベル比Ｖｉｎ／Ｖｏｕｔを求める。そして、この音量レベル比Ｖｉｎ／Ｖｏｕｔの変化に基づいて、オーディオコントローラ２を携帯するリスナーが自ワイヤレススピーカ１の設置部屋から退室したか否かを判断する。
【００４３】
主制御部１９は、ワイヤレススピーカ１の各部１０〜１８を統括的に制御する。また、主制御部１９は、退室判断部１８での判断結果に基づいて、楽曲データ再生部１５による楽曲データの再生・出力および電源のオン・オフを制御する。
【００４４】
図４は、ワイヤレススピーカ１の動作を説明するためのフロー図である。このフローは、指示受付部１２がワイヤレスネットワークインターフェース部１１を介してオーディオコントローラ２から自ワイヤレススピーカ１のＩＤが付与された再生指示を受信することにより開始される。
【００４５】
まず、指示受付部１２は、受信した再生指示を主制御部１９に渡す。これを受けて、主制御部１９は、この再生指示で指定されている再生対象の楽曲データを楽曲データ取得部１３に通知する。そして、楽曲データ取得部１３は、ワイヤレスネットワークインターフェース部１１を介してメディアサーバ３に、主制御部１９より通知された楽曲データの指定を含む楽曲データ要求を送信する（Ｓ２００）。
【００４６】
つぎに、楽曲データ取得部１３は、メディアサーバ３から楽曲データを受信して、これを楽曲データ記憶部１４に記憶する（Ｓ２０１）。また、主制御部１９に楽曲データの取得完了を通知する。これを受けて、主制御部１９は、再生対象の楽曲データを楽曲データ再生部１５に通知する。楽曲データ再生部１５は、再生対象の楽曲データを楽曲データ記憶部１４から読み出してオーディオ信号に再生し、再生したオーディオ信号をスピーカ部１０から出力する（Ｓ２０２）。
【００４７】
つぎに、出力音量レベル測定部１６は、楽曲データ再生部１５によるオーディオ信号再生が開始されると、所定間隔Ｔ１毎に、所定時間Ｔ２内に楽曲データ再生部１５によってスピーカ部１０から出力されたオーディオ信号の出力音量の平均値である出力音量レベルＶｏｕｔを測定する（Ｓ２０３）。
【００４８】
ここで、楽曲データ再生部１５によるオーディオ信号再生が終了した場合（Ｓ２０５でＹＥＳ）、主制御部１９は、本フローを終了する。一方、入力音量レベル受信部１７は、楽曲データ再生部１５によるオーディオ信号再生が終了するまでの間に（Ｓ２０５でＮＯ）、オーディオコントローラ２から定期的に送信される、自ワイヤレススピーカ１のＩＤを伴う入力音量レベル通知（Ｖｉｎ通知）を、ワイヤレスネットワークインターフェース部１１を介して受信すると（Ｓ２０４でＹＥＳ）、この入力音量レベル通知に含まれている入力音量レベルＶｉｎを退室判断部１８に渡す。これを受けて、退室判断部１８は、入力音量レベル受信部１７から受け取った入力音量レベルＶｉｎの、出力音量レベル測定部１６で測定された最新の出力音量レベルＶｏｕｔに対する割合を示す音量レベル比Ｖｉｎ／Ｖｏｕｔを算出し記憶する（Ｓ２０６）。
【００４９】
それから、退室判断部１８は、所定時間Ｔ３（例えば４〜６秒）前に算出された音量レベル比Ｖｉｎ／Ｖｏｕｔを記憶しているか否かを判断する（Ｓ２０７）。所定時間Ｔ３前に算出された音量レベル比Ｖｉｎ／Ｖｏｕｔを記憶してないならば（Ｓ２０７でＮＯ）、Ｓ２０４に戻る。
【００５０】
一方、所定時間Ｔ３前に算出された音量レベル比Ｖｉｎ／Ｖｏｕｔを記憶している場合（Ｓ２０７でＹＥＳ）、退室判断部１８は、この所定時間Ｔ３前に算出された音量レベル比Ｖｉｎ／Ｖｏｕｔと、今回新たに算出された音量レベル比Ｖｉｎ／Ｖｏｕｔとを比較し、今回新たに算出された音量レベル比Ｖｉｎ／Ｖｏｕｔが、所定時間Ｔ３前に算出された音量レベル比Ｖｉｎ／Ｖｏｕｔから所定値Ｐ（例えば５ｄＢ）以上低下したか否かを判断する（Ｓ２０８）。今回新たに算出された音量レベル比Ｖｉｎ／Ｖｏｕｔが所定時間Ｔ３前に算出された音量レベル比Ｖｉｎ／Ｖｏｕｔから所定値Ｐ以上低下していないならば（Ｓ２０８でＮＯ）、Ｓ２０４に戻る。
【００５１】
一方、今回新たに算出された音量レベル比Ｖｉｎ／Ｖｏｕｔが、所定時間Ｔ３前に算出された音量レベル比Ｖｉｎ／Ｖｏｕｔから所定値Ｐ以上低下している場合（Ｓ２０８でＹＥＳ）、退室判断部１８は、その旨を主制御部１９に通知する。これを受けて、主制御部１９は、楽曲データ再生部１５の音量ボリュームＶｏｌの値をレジューム情報として登録するとともに（Ｓ２０９）、楽曲データ再生部１５の音量ボリュームＶｏｌをゼロ値に変更して、スピーカ部１０からのオーディオ信号出力を停止する（Ｓ２１０）。このとき、出力音量レベル測定部１６は、出力音量レベルＶｏｕｔの測定を停止してもよい。
【００５２】
その後、主制御部１９は、楽曲データ再生部１５によるオーディオ信号再生が終了するまでの間であって（Ｓ２１５でＮＯ）、かつ所定のタイムアウト時間Ｔ４（例えば３分）の経過によりタイムアウトするまでの間（Ｓ２１３でＮＯ）、ワイヤレスネットワークインターフェース部１１および指示受付部１２を介してオーディオコントローラ２から復旧指示を受信するのを待つ（Ｓ２１１）。指示受付部１２は、ワイヤレスネットワークインターフェース部１１を介して、自ワイヤレススピーカ１のＩＤの指定を伴う復旧指示をオーディオコントローラ２から受信すると（Ｓ２１１でＹＥＳ）、これを主制御部１９に通知する。これを受けて、主制御部１９は、楽曲データ再生部１５の音量ボリュームＶｏｌを、ゼロ値から、レジューム情報として登録しておいた値に変更して、スピーカ部１０からのオーディオ信号出力を再開する（Ｓ２１２）。スピーカ部１０からのオーディオ信号出力の出力停止中に音量レベルＶｏｕｔの測定が停止されていた場合には、出力音量レベル測定部１６による出力音量レベルＶｏｕｔの測定を再開する。その後、Ｓ２０４に戻る。
【００５３】
一方、楽曲データ再生部１５によるオーディオ信号再生が終了するまでの間に（Ｓ２１５でＮＯ）、ワイヤレスネットワークインターフェース部１１および指示受付部１２を介して復旧指示をオーディオコントローラ２から受信することなく（Ｓ２１１でＮＯ）、所定のタイムアウト時間Ｔ４の経過によりタイムアウトした場合（Ｓ２１３でＹＥＳ）、主制御部１９は、楽曲データからのオーディオ信号の再生を楽曲データ再生部１５に停止させ、その後、主電源をオフにして（Ｓ２１４）、本フローを終了する。
【００５４】
また、主制御部１９は、所定のタイムアウト時間Ｔ４が経過する前に（Ｓ２１３でＮＯ）、ワイヤレスネットワークインターフェース部１１および指示受付部１２を介して復旧指示をオーディオコントローラ２から受信することなく（Ｓ２１１でＮＯ）、楽曲データ再生部１５によるオーディオ信号再生が終了した場合（Ｓ２１５でＹＥＳ）、本フローを終了する。
【００５５】
つぎに、オーディオコントローラ２について説明する。
【００５６】
図５は、オーディオコントローラ２の概略機能構成図である。この図に示すオーディオコントローラ２の機能構成は、例えば、ＣＰＵと、メモリと、フラッシュメモリ等の補助記憶装置と、タッチパネル、デイスプレイ、ポインティングデバイス等の入出力装置と、無線ＬＡＮアダプタ等の無線通信装置と、マイクと、を備えたスマートホン、タブレットＰＣ等の携帯型コンピュータにおいて、ＣＰＵが所定のプログラムを補助記憶装置からメモリ上にロードして実行することにより実現される。
【００５７】
図示するように、オーディオコントローラ２は、マイク部２０と、ワイヤレスネットワークインターフェース部２１と、グラフィカルユーザインターフェース部２２と、再生指示送信部２３と、復旧指示送信部２４と、入力音量レベル測定部２５と、入力音量レベル通知部２６と、主制御部２７と、を備えている。
【００５８】
ワイヤレスネットワークインターフェース部２１は、アクセスポイント４を介してワイヤレススピーカ１と通信するためのインターフェースである。
【００５９】
グラフィカルユーザインターフェース部２２は、情報を表示したり、ユーザから各種操作を受け付けたりするためのインターフェースである。
【００６０】
再生指示送信部２３は、再生対象の楽曲データおよび楽曲データの出力先ワイヤレススピーカ１のＩＤの指定を伴う再生指示をワイヤレスネットワークインターフェース部２１から同報送信する。
【００６１】
復旧指示送信部２４は、楽曲データの出力先ワイヤレススピーカ１のＩＤの指定を伴う復旧指示をワイヤレスネットワークインターフェース部２１から同報送信する。
【００６２】
入力音量レベル測定部２５は、所定間隔Ｔ１（例えば１秒）毎に、所定時間Ｔ２（例えば１秒）内にマイク部２０に入力されたオーディオ信号の入力音量の平均値である入力音量レベルＶｉｎを測定する。
【００６３】
入力音量レベル通知部２６は、入力音量レベル測定部２５で入力音量レベルＶｉｎが測定される毎に、この入力音量レベルＶｉｎおよび楽曲データの出力先ワイヤレススピーカ１のＩＤの指定を伴う入力音量レベル通知をワイヤレスネットワークインターフェース部２１から同報送信する。
【００６４】
主制御部２７は、オーディオコントローラ２の各部２０〜２６を統括的に制御する。
【００６５】
図６は、オーディオコントローラ２の動作を説明するためのフロー図である。このフローは、主制御部２７が、グラフィカルユーザインターフェース部２２を介してリスナーから、再生対象の楽曲データおよび楽曲データの出力先ワイヤレススピーカ１のＩＤの指定を伴う選曲操作を受け付けることにより開始される。
【００６６】
まず、主制御部２７は、再生対象の楽曲データおよび楽曲データの出力先ワイヤレススピーカ１のＩＤを再生指示送信部２３に渡す。これを受けて、再生指示送信部２３は、再生対象の楽曲データおよび楽曲データの出力先ワイヤレススピーカ１のＩＤの指定を伴う再生指示をワイヤレスネットワークインターフェース部２１から同報送信する（Ｓ３００）。
【００６７】
つぎに、主制御部２７は、マイク部２０をオンにして（Ｓ３０１）、マイク部２０にオーディオ信号が入力されるのを待つ（Ｓ３０２）。そして、マイク部２０にオーディオ信号が入力されたならば（Ｓ３０２でＹＥＳ）、入力音量レベル測定部２５に入力音量レベルＶｉｎの測定開始を指示するとともに、入力音量レベル通知部２６に楽曲データの出力先ワイヤレススピーカ１のＩＤを通知して入力音量レベル通知の送信開始を指示する。これを受けて、入力音量レベル測定部２５は、所定間隔Ｔ１毎に、所定時間Ｔ２内にマイク部２０に入力されたオーディオ信号の入力音量の平均値である入力音量レベルＶｉｎを測定する。そして、入力音量レベル通知部２６は、入力音量レベル測定部２５で入力音量レベルＶｉｎが測定される毎に、この入力音量レベルＶｉｎおよび楽曲データの出力先ワイヤレススピーカ１のＩＤの指定を伴う入力音量レベル通知をワイヤレスネットワークインターフェース部２１から同報送信する（Ｓ３０３）。
【００６８】
つぎに、主制御部２７は、グラフィカルユーザインターフェース部２２を介してリスナーから、楽曲データの出力先ワイヤレススピーカ１のＩＤの指定を伴う復旧操作を受け付けると（Ｓ３０４でＹＥＳ）、この出力先ワイヤレススピーカ１のＩＤを復旧指示送信部２４に渡す。これを受けて、復旧指示送信部２４は、この出力先ワイヤレススピーカ１のＩＤの指定を伴う復旧指示をワイヤレスネットワークインターフェース部２１から同報送信する（Ｓ３０５）。
【００６９】
また、主制御部２７は、グラフィカルユーザインターフェース部２２を介してリスナーからワイヤレススピーカ１の遠隔制御の終了操作を受け付けると（Ｓ３０６でＹＥＳ）、入力音量レベル測定部２５に入力音量レベルＶｉｎの測定終了を指示するとともに、入力音量レベル通知部２６に入力音量レベル通知の送信終了を指示する。これを受けて、入力音量レベル測定部２５は、入力音量レベルＶｉｎの測定を終了する。また、入力音量レベル通知部２６は、入力音量レベル通知の同報送信を終了する（Ｓ３０７）。
【００７０】
それから、主制御部２７は、マイク部２０をオフにして（Ｓ３０８）、このフローを終了する。
【００７１】
以上、本発明の第一実施の形態について説明した。
【００７２】
本実施の形態では、ワイヤレススピーカ１のスピーカ部１０から出力されたオーディオ信号の出力音量レベルＶｏｕｔとオーディオコントローラ２のマイク部２０に入力されたオーディオ信号の入力音量レベルＶｉｎとを比較し、両者の音量レベル比Ｖｉｎ／Ｖｏｕｔから、このオーディオコントローラ２を携帯するリスナーがワイヤレススピーカ１の設置部屋から退室したか否かを判断している。そして、リスナーが退室したと判断した場合に、ワイヤレススピーカ１からのオーディオ信号の出力を停止する。このため、オーディオ信号を出力中のワイヤレススピーカ１の設置部屋にいるリスナーが、オーディオ信号の出力を停止することなく退室した場合に、オーディオ信号の出力を自動で停止することができるので、無駄なオーディオ信号の出力を抑制して電力消費を低減することができる。
【００７３】
また、本実施の形態において、ワイヤレススピーカ１は、オーディオ信号の出力停止後、所定のタイムアウト時間Ｔ４経過前に、オーディオコントローラ２から復旧指示を受信すると、音量ボリュームＶｏｌをオーディオ信号の出力停止前の状態に戻して、オーディオ信号の出力を再開する。一方、オーディオコントローラ２から復旧指示を受信することなく、タイムアウト時間Ｔ４の経過によりタイムアウトした場合には、楽曲データのオーディオ信号への再生を停止して、電源をオフにする。したがって、オーディオコントローラ２を携帯するリスナーがワイヤレススピーカ１の設置部屋から退室後に直ぐ戻ってきたような場合、簡単な操作で楽曲データを引き続き楽しむことができる一方、退室したまま戻らない場合には、ワイヤレススピーカ１の電源を自動的に切断することができるので、ワイヤレススピーカ１の消費電力を効率的に低減することができる。
【００７４】
なお、本実施の形態では、所定時間Ｔ３内に音量レベル比Ｖｉｎ／Ｖｏｕｔが所定値Ｐ以上低下した場合に、オーディオコントローラ２を携帯するリスナーがワイヤレススピーカ１の設置部屋から退室したものと判断している（図２のＳ１１３、Ｓ１２０、図４のＳ２０８）。しかしながら、リスナーがワイヤレススピーカ１の音量ボリュームを意図的に下げた場合、オーディオコントローラ２のマイク部２０の性能によっては、リスナーが退室したものと誤判断する可能性がある。そこで、所定時間Ｔ３内に音量レベル比Ｖｉｎ／Ｖｏｕｔが所定値Ｐ以上低下した場合でも、音量ボリュームが所定値未満ならば、リスナーが退室したものとは判断しないようにしてもよい。
【００７５】
また、上記の実施の形態では、ワイヤレススピーカ１のスピーカ部１０から出力されたオーディオ信号の出力音量レベルＶｏｕｔとオーディオコントローラ２のマイク部２０に入力されたオーディオ信号の入力音量レベルＶｉｎとを比較し、両者の音量レベル比Ｖｉｎ／Ｖｏｕｔから、このオーディオコントローラ２を携帯するリスナーがワイヤレススピーカ１の設置部屋から退室したか否かを判断している。しかし、本発明はこれに限定されない。本発明は、ワイヤレススピーカ１のスピーカ部１０から出力されたオーディオ信号の出力特性とオーディオコントローラ２のマイク部２０に入力されたオーディオ信号の入力特性との比較結果に基づいて、オーディオコントローラ２を携帯するリスナーがワイヤレススピーカ１の周辺から離れたか否かを判断するものであればよい。
【００７６】
例えば、ワイヤレススピーカ１において、所定間隔Ｔ１毎に、所定時間Ｔ２内にスピーカ部１０から出力されたオーディオ信号の出力波形を測定するとともに、オーディオコントローラ２において、所定間隔Ｔ１毎に、所定時間Ｔ２内にマイク部２０に入力されたオーディオ信号の入力波形を測定して、ワイヤレススピーカ１に送信する。そして、ワイヤレススピーカ１において、測定した最新の出力波形と、オーディオコントローラ２から受信した最新の入力波形とを比較し、入力波形の出力波形に対する遅延時間（位相差）が所定時間以上であるか否かに基づいて、このオーディオコントローラ２を携帯するリスナーがワイヤレススピーカ１の周辺から離れたか否かを判断する。
【００７７】
［第二実施の形態］
本実施の形態に係るワイヤレスオーディオシステムが図１に示す第一実施の形態に係るワイヤレスオーディオシステムと異なる点は、ワイヤレススピーカ１−１〜１−３に代えてワイヤレススピーカ１ａ−１〜１ａ−３（以下、単にワイヤレススピーカ１ａとも呼ぶ）を用いた点、およびオーディオコントローラ２に代えてオーディオコントローラ２ａを用いた点である。その他については、図１に示す第一実施の形態に係るワイヤレスオーディオシステムと同様である。
【００７８】
ワイヤレススピーカ１ａは、アクセスポイント４を介してオーディオコントローラ２ａおよびメディアサーバ３に接続されており、オーディオコントローラ２ａから受信した再生指示に従い、メディアサーバ３から楽曲データを取得してオーディオ信号に再生し出力する。また、ワイヤレススピーカ１ａは、所定時間内にワイヤレススピーカ１ａから出力されたオーディオ信号の出力音量レベルを逐次測定して、再生指示送信元のオーディオコントローラ２ａに送信する。また、オーディオコントローラ２ａの出力停止指示に従いオーディオ信号の出力を停止する。
【００７９】
オーディオコントローラ２ａも、アクセスポイント４を介してワイヤレススピーカ１ａおよびメディアサーバ３に接続されており、メディアサーバ３に格納されている楽曲データのなかからリスナーによって選択された楽曲データの指定を含む再生指示を、楽曲データの出力先ワイヤレススピーカ１ａに送信する。また、オーディオコントローラ２ａは、所定時間内にマイクに入力されたオーディオ信号の入力音量レベルを逐次測定するとともに、ワイヤレススピーカ１ａからオーディオ信号の出力音量レベルを逐次受信する。そして、この入力音量レベルと出力音量レベルとを比較して、オーディオコントローラ２ａを携帯するリスナーがワイヤレススピーカ１ａの設置部屋から退室したか否かを判断し、リスナーがワイヤレススピーカ１ａの設置部屋から退室したと判断した場合に、オーディオ信号の出力停止指示を楽曲データの出力先ワイヤレススピーカ１ａに送信する。
【００８０】
図７は、本実施の形態に係るワイヤレスオーディオシステムの動作を説明するためのフロー図である。ここでは、オーディオコントローラ２ａを携帯するリスナーがＡ号室に設置されたワイヤレススピーカ１ａ−１を用いて楽曲を楽しむ場合を例にとり説明している。
【００８１】
まず、オーディオコントローラ２ａは、オーディオコントローラ２ａを携帯するＡ号室に在室中のリスナーから、再生対象の楽曲データおよび楽曲データの出力先となるワイヤレススピーカ１ａ−１のＩＤの指定を伴う選曲操作を受け付けると（Ｓ１５０）、再生対象の楽曲データおよびワイヤレススピーカ１ａ−１のＩＤの指定を伴う再生指示をネットワーク５上に同報送信する（Ｓ１５１）。また、オーディオコントローラ２ａが備えるマイクをオンにする（Ｓ１５２）。
【００８２】
つぎに、ワイヤレススピーカ１ａ−１は、自ワイヤレススピーカ１ａ−１のＩＤの指定を伴う再生指示をネットワーク５から受信すると、この再生指示で指定されている楽曲データの指定を伴う楽曲データ要求をメディアサーバ３に送信する（Ｓ１５３）。これを受けて、メディアサーバ３は、自メディアサーバ３に格納している楽曲データのなかから、ワイヤレススピーカ１ａ−１から受信した楽曲データ要求で指定されている楽曲データを特定し、この楽曲データをワイヤレススピーカ１ａ−１に送信する（Ｓ１５４）。ワイヤレススピーカ１ａ−１は、メディアサーバ３から楽曲データを受信すると、この楽曲データのオーディオ信号への再生および再生されたオーディオ信号の出力を開始する（Ｓ１５５）。また、ワイヤレススピーカ１ａ−１は、所定間隔Ｔ１（例えば１秒）毎に、所定時間Ｔ２（例えば１秒）内に出力されたオーディオ信号の出力音量レベルＶｏｕｔの測定を開始する（Ｓ１５６）。そして、出力音量レベルＶｏｕｔが新たに測定される毎に、この新たに測定された出力音量レベルＶｏｕｔを伴う出力音量レベル通知（Ｖｏｕｔ通知）を、再生指示の送信元であるオーディオコントローラ２ａに送信する（Ｓ１５７）。
【００８３】
一方、オーディオコントローラ２ａは、ワイヤレススピーカ１ａ−１から出力されたオーディオ信号が、自オーディオコントローラ２ａが備えるマイクに入力されたことを検知すると（Ｓ１５８）、所定間隔Ｔ１毎に、所定時間Ｔ２内にマイクに入力されたオーディオ信号の入力音量レベルＶｉｎの測定を開始するとともに（Ｓ１５９）、ワイヤレススピーカ１ａ−１から出力音量レベル通知の受信を開始する（Ｓ１６０）。そして、オーディオコントローラ２ａは、出力音量レベル通知を新たに受信する毎に、この新たに受信した出力音量レベル通知に含まれている出力音量レベルＶｏｕｔに対する、自オーディオコントローラ２ａで新たに測定された入力音量レベルＶｉｎの割合を示す音量レベル比Ｖｉｎ／Ｖｏｕｔを求め、この音量レベル比Ｖｉｎ／Ｖｏｕｔの変化を監視する（Ｓ１６１）。
【００８４】
ここで、オーディオコントローラ２ａを携帯するリスナーがＡ号室から退室し（Ｓ１６２）、これにより、オーディオコントローラ２ａのマイクに入力されるオーディオ信号の入力音量レベルＶｉｎが小さくなり、その結果、オーディオコントローラ２ａで算出される音量レベル比Ｖｉｎ／Ｖｏｕｔが急激に低下したものとする。オーディオコントローラ２ａは、所定時間Ｔ３（例えば４〜６秒）内に音量レベル比Ｖｉｎ／Ｖｏｕｔが所定値Ｐ（例えば５ｄＢ）以上低下したことを検出すると（Ｓ１６３）、リスナーがＡ号室から退室したものと判断し、楽曲データの出力先ワイヤレススピーカ１ａ−１のＩＤの指定を伴う出力停止指示を同報送信する（Ｓ１６４）。その後、所定のタイムアウト時間Ｔ４（例えば３分）が経過するのを待つ。
【００８５】
一方、ワイヤレススピーカ１ａ−１は、自ワイヤレススピーカ１ａ−１のＩＤの指定を伴う出力停止指示をオーディオコントローラ２ａから受信すると、自ワイヤレススピーカ１ａ−１の音量ボリュームＶｏｌの値をレジューム情報として登録するとともに、音量ボリュームＶｏｌをゼロ値に変更してオーディオ信号の出力を停止する（Ｓ１６５）。このとき、ワイヤレススピーカ１ａ−１は、出力音量レベルＶｏｕｔの測定を停止してもよい。
【００８６】
つぎに、オーディオコントローラ２ａを携帯するリスナーがＡ号室に再び入室したものとする（Ｓ１６６）。オーディオコントローラ２ａは、タイムアウト時間Ｔ４の経過前に、ワイヤレススピーカ１ａ−１のＩＤの指定を伴う復旧操作をリスナーから受け付けると（Ｓ１６７）、ワイヤレススピーカ１ａ−１のＩＤの指定を伴う復旧指示をネットワーク５上に同報送信する（Ｓ１６８）。
【００８７】
ワイヤレススピーカ１ａ−１は、自ワイヤレススピーカ１ａ−１のＩＤの指定を伴う復旧指示をオーディオコントローラ２ａから受信すると、音量ボリュームＶｏｌの値をゼロ値から、レジューム情報として登録された値に変更して、オーディオ信号の出力を再開する（Ｓ１６９）。オーディオ信号出力の出力停止中に音量レベルＶｏｕｔの測定が停止されていた場合、ワイヤレススピーカ１ａ−１は、出力音量レベルＶｏｕｔの測定を再開する。
【００８８】
つぎに、オーディオコントローラ２ａを携帯するリスナーがＡ号室から再び退室し（Ｓ１７０）、これにより、オーディオコントローラ２ａのマイクに入力されるオーディオ信号の入力音量レベルＶｉｎが小さくなり、その結果、オーディオコントローラ２ａで算出される音量レベル比Ｖｉｎ／Ｖｏｕｔが急激に低下したものとする。オーディオコントローラ２ａは、所定時間Ｔ３内に音量レベル比Ｖｉｎ／Ｖｏｕｔが所定値Ｐ以上低下したことを検出すると（Ｓ１７１）、リスナーがＡ号室から退室したものと判断し、楽曲データの出力先ワイヤレススピーカ１ａ−１のＩＤの指定を伴う出力停止指示を同報送信する（Ｓ１７２）。このとき、ワイヤレススピーカ１ａ−１は、出力音量レベルＶｏｕｔの測定を停止してもよい。その後、所定のタイムアウト時間Ｔ４（例えば３分）が経過するのを待つ。
【００８９】
一方、ワイヤレススピーカ１ａ−１は、自ワイヤレススピーカ１ａ−１のＩＤの指定を伴う出力停止指示をオーディオコントローラ２ａから受信すると、自ワイヤレススピーカ１ａ−１の音量ボリュームＶｏｌの値をレジューム情報として登録するとともに、音量ボリュームＶｏｌをゼロ値に変更して、オーディオ信号の出力を停止する（Ｓ１７３）。
【００９０】
つぎに、オーディオコントローラ２ａを携帯するリスナーがＡ号室に再び入室することなく、タイムアウト時間Ｔ４を経過すると（Ｓ１７４）、オーディオコントローラ２ａは、ワイヤレススピーカ１ａ−１のＩＤの指定を伴う電源オフ指示をネットワーク５上に同報送信する（Ｓ１７５）。
【００９１】
一方、ワイヤレススピーカ１ａ−１は、自ワイヤレススピーカ１ａ−１のＩＤの指定を伴う電源オフ指示をオーディオコントローラ２ａから受信すると、楽曲データのオーディオ信号への再生を停止して、電源をオフにする（Ｓ１７６）。
【００９２】
つぎに、本実施の形態に係るワイヤレスオーディオシステムのワイヤレススピーカ１ａおよびオーディオコントローラ２ａの詳細について説明する。
【００９３】
まず、ワイヤレススピーカ１ａについて説明する。
【００９４】
図８は、ワイヤレススピーカ１ａの概略機能構成図である。この図に示すワイヤレススピーカ１ａの機能構成は、例えば、ＣＰＵと、メモリと、フラッシュメモリ等の補助記憶装置と、無線ＬＡＮアダプタ等の無線通信装置と、スピーカと、を備えたコンピュータにおいて、ＣＰＵが所定のプログラムを補助記憶装置からメモリ上にロードして実行することにより実現される。
【００９５】
図示するように、ワイヤレススピーカ１ａは、スピーカ部１０と、ワイヤレスネットワークインターフェース部１１と、指示受付部１２と、楽曲データ取得部１３と、楽曲データ記憶部１４と、楽曲データ再生部１５と、出力音量レベル測定部１６と、出力音量レベル通知部３０と、主制御部３１と、を備えている。ここで、図３に示す第一実施の形態のワイヤレススピーカ１と同じ機能を有するものには、同じ符号を付している。
【００９６】
出力音量レベル通知部３０は、出力音量レベル測定部１６で出力音量レベルＶｏｕｔが測定される毎に、この出力音量レベルＶｏｕｔを伴う出力音量レベル通知を、楽曲データ再生部１５でオーディオ信号に再生中の楽曲データに対する再生指示の送信元であるオーディオコントローラ２ａに、ワイヤレスネットワークインターフェース部１１を介して送信する。
【００９７】
主制御部３１は、ワイヤレススピーカ１ａの各部１０〜１６、３０を統括的に制御する。また、主制御部３１は、指示受付部１２を介してオーディオコントローラ２ａより受け付けた指示に基づいて、楽曲データ再生部１５による楽曲データの再生・出力および電源のオン・オフを制御する。
【００９８】
図９は、ワイヤレススピーカ１ａの動作を説明するためのフロー図である。このフローは、指示受付部１２が、自ワイヤレススピーカ１ａのＩＤが付与された再生指示を、ワイヤレスネットワークインターフェース部１１を介してオーディオコントローラ２ａから受信することにより開始される。
【００９９】
まず、指示受付部１２は、受信した再生指示を主制御部３１に渡す。これを受けて、主制御部３１は、再生指示の送信元であるオーディオコントローラ２ａのアドレスを出力音量レベル通知部３０に通知するともに、この再生指示で指定されている再生対象の楽曲データを楽曲データ取得部１３に通知する。そして、楽曲データ取得部１３は、ワイヤレスネットワークインターフェース部１１を介してメディアサーバ３に、主制御部３１より通知された楽曲データの指定を含む楽曲データ要求を送信する（Ｓ２５０）。
【０１００】
つぎに、楽曲データ取得部１３は、メディアサーバ３から楽曲データを受信して、これを楽曲データ記憶部１４に記憶する（Ｓ２５１）。また、主制御部３１に楽曲データの取得完了を通知する。これを受けて、主制御部３１は、再生対象の楽曲データを楽曲データ再生部１５に通知する。そして、楽曲データ再生部１５は、再生対象の楽曲データを楽曲データ記憶部１４から読み出してオーディオ信号に再生し、再生したオーディオ信号をスピーカ部１０から出力する（Ｓ２５２）。
【０１０１】
つぎに、出力音量レベル測定部１６は、楽曲データ再生部１５によるオーディオ信号再生が開始されると、所定間隔Ｔ１毎に、所定時間Ｔ２内に楽曲データ再生部１５によってスピーカ部１０から出力されたオーディオ信号の出力音量の平均値である出力音量レベルＶｏｕｔを測定する。そして、出力音量レベル通知部３０は、出力音量レベル測定部１６で出力音量レベルＶｏｕｔが測定される毎に、この出力音量レベルＶｏｕｔを伴う出力音量レベル通知を、ワイヤレスネットワークインターフェース部１１を介して、主制御部３１から通知されたアドレスにより特定されるオーディオコントローラ２ａに送信する（Ｓ２５３）。
【０１０２】
つぎに、主制御部３１は、楽曲データ再生部１５によるオーディオ信号再生が終了するまでの間（Ｓ２５７でＮＯ）、ワイヤレスネットワークインターフェース部１１および指示受付部１２を介してオーディオコントローラ２ａから出力停止指示を受信するのを待つ（Ｓ２５４）。そして、指示受付部１２は、自ワイヤレススピーカ１ａのＩＤが付与された出力停止指示を、ワイヤレスネットワークインターフェース部１１を介してオーディオコントローラ２ａから受信すると（Ｓ２５４でＹＥＳ）、これを主制御部３１に渡す。これを受けて、主制御部３１は、楽曲データ再生部１５の音量ボリュームＶｏｌの値をレジューム情報として登録するとともに（Ｓ２５５）、楽曲データ再生部１５の音量ボリュームＶｏｌをゼロ値に変更して、オーディオ信号のスピーカ部１０からの出力を停止する（Ｓ２５６）。このとき、出力音量レベル測定部１６は、出力音量レベルＶｏｕｔの測定を停止してもよい。
【０１０３】
その後、主制御部３１は、楽曲データ再生部１５によるオーディオ信号再生が終了するまでの間（Ｓ２６２でＮＯ）、ワイヤレスネットワークインターフェース部１１および指示受付部１２を介してオーディオコントローラ２ａから復旧指示あるいは電源オフ指示を受信するのを待つ（Ｓ２５８、Ｓ２６０）。
【０１０４】
そして、指示受付部１２は、自ワイヤレススピーカ１ａのＩＤが付与された復旧指示を、ワイヤレスネットワークインターフェース部１１を介してオーディオコントローラ２ａから受信すると（Ｓ２５８でＹＥＳ）、これを主制御部３１に渡す。これを受けて、主制御部３１は、楽曲データ再生部１５の音量ボリュームＶｏｌを、ゼロ値から、レジューム情報として登録しておいた値に変更して、スピーカ部１０からのオーディオ信号出力を再開する（Ｓ２５９）。オーディオ信号出力の出力停止中に音量レベルＶｏｕｔの測定が停止されていた場合には、出力音量レベル測定部１６による出力音量レベルＶｏｕｔの測定を再開する。その後、Ｓ２５４に戻る。
【０１０５】
また、指示受付部１２は、自ワイヤレススピーカ１ａのＩＤが付与された電源オフ指示を、ワイヤレスネットワークインターフェース部１１を介してオーディオコントローラ２ａから受信すると（Ｓ２６０でＹＥＳ）、これを主制御部３１に渡す。これを受けて、主制御部３１は、楽曲データ再生部１５に、楽曲データのオーディオ信号への再生を停止させ、その後、主電源をオフにして（Ｓ２６１）、本フローを終了する。
【０１０６】
また、主制御部３１は、楽曲データ再生部１５による楽曲データのオーディオ信号への再生が終了した場合（Ｓ２５７でＹＥＳあるいはＳ２６２でＹＥＳ）、本フローを終了する。
【０１０７】
つぎに、オーディオコントローラ２ａについて説明する。
【０１０８】
図１０は、オーディオコントローラ２ａの概略機能構成図である。この図に示すオーディオコントローラ２ａの機能構成は、例えば、ＣＰＵと、メモリと、フラッシュメモリ等の補助記憶装置と、タッチパネル、デイスプレイ、ポインティングデバイス等の入出力装置と、無線ＬＡＮアダプタ等の無線通信装置と、マイクと、を備えたスマートホン、タブレットＰＣ等の携帯型コンピュータにおいて、ＣＰＵが所定のプログラムを補助記憶装置からメモリ上にロードして実行することにより実現される。
【０１０９】
図示するように、オーディオコントローラ２ａは、マイク部２０と、ワイヤレスネットワークインターフェース部２１と、グラフィカルユーザインターフェース部２２と、再生指示送信部２３と、復旧指示送信部２４と、入力音量レベル測定部２５と、出力停止指示送信部４０と、電源オフ指示送信部４１と、出力音量レベル受信部４２と、退室判断部４３と、主制御部４４と、を備えている。ここで、図５に示す第一実施の形態のオーディオコントローラ２と同じ機能を有するものには、同じ符号を付している。
【０１１０】
出力停止指示送信部４０は、楽曲データの出力先ワイヤレススピーカ１ａのＩＤの指定を伴う出力停止指示をワイヤレスネットワークインターフェース部２１から同報送信する。
【０１１１】
電源オフ指示送信部４１は、楽曲データの出力先ワイヤレススピーカ１ａのＩＤの指定を伴う電源オフ指示をワイヤレスネットワークインターフェース部２１から同報送信する。
【０１１２】
出力音量レベル受信部４２は、ワイヤレススピーカ１ａから定期的に送信される出力音量レベル通知を、ワイヤレスネットワークインターフェース部２１を介して受信する。
【０１１３】
退室判断部４３は、出力音量レベル受信部４２が出力音量レベル通知を新たに受信する毎に、この出力音量レベル通知に含まれている出力音量レベルＶｏｕｔに対する、入力音量レベル測定部２５で測定された最新の入力音量レベルＶｉｎの割合を示す音量レベル比Ｖｉｎ／Ｖｏｕｔを求める。そして、この音量レベル比Ｖｉｎ／Ｖｏｕｔの変化に基づいて、自オーディオコントローラ２ａを携帯するリスナーが楽曲データの出力先ワイヤレススピーカ１ａの設置部屋から退室したか否かを判断する。
【０１１４】
主制御部４４は、オーディオコントローラ２ａの各部２０〜２５、４０〜４３を統括的に制御する。
【０１１５】
図１１は、オーディオコントローラ２ａの動作を説明するためのフロー図である。このフローは、主制御部４４が、再生対象の楽曲データおよび楽曲データの出力先ワイヤレススピーカ１ａのＩＤの指定を伴う選曲操作を、グラフィカルユーザインターフェース部２２を介してリスナーから受け付けることにより開始される。
【０１１６】
まず、主制御部４４は、再生対象の楽曲データおよび楽曲データの出力先ワイヤレススピーカ１ａのＩＤを再生指示送信部２３に渡す。これを受けて、再生指示送信部２３は、再生対象の楽曲データおよび楽曲データの出力先ワイヤレススピーカ１ａのＩＤの指定を伴う再生指示をワイヤレスネットワークインターフェース部２１から同報送信する（Ｓ３５０）。
【０１１７】
つぎに、主制御部４４は、マイク部２０をオンにして（Ｓ３５１）、マイク部２０にオーディオ信号が入力されるのを待つ（Ｓ３５２）。そして、マイク部２０にオーディオ信号が入力されたならば（Ｓ３５２でＹＥＳ）、入力音量レベル測定部２５に測定開始を指示する。これを受けて、入力音量レベル測定部２５は、所定間隔Ｔ１毎に、所定時間Ｔ２内にマイク部２０に入力されたオーディオ信号の入力音量の平均値である入力音量レベルＶｉｎを測定する（Ｓ３５３）。
【０１１８】
つぎに、出力音量レベル受信部４２は、ワイヤレススピーカ１ａから定期的に送信される出力音量レベル通知（Ｖｏｕｔ通知）を、ワイヤレスネットワークインターフェース部２１を介して受信すると（Ｓ３５４でＹＥＳ）、この出力音量レベル通知に含まれている出力音量レベルＶｏｕｔを退室判断部４３に渡す。これを受けて、退室判断部４３は、出力音量レベル受信部４２から受け取った出力音量レベルＶｏｕｔに対する、入力音量レベル測定部２５で測定された最新の入力音量レベルＶｉｎの割合を示す音量レベル比Ｖｉｎ／Ｖｏｕｔを算出し記憶する（Ｓ３５５）。
【０１１９】
それから、退室判断部４３は、所定時間Ｔ３（例えば４〜６秒）前に算出された音量レベル比Ｖｉｎ／Ｖｏｕｔを記憶しているか否かを判断する（Ｓ３５６）。所定時間Ｔ３前に算出された音量レベル比Ｖｉｎ／Ｖｏｕｔを記憶してないならば（Ｓ３５６でＮＯ）、Ｓ３５４に戻る。
【０１２０】
一方、所定時間Ｔ３前に算出された音量レベル比Ｖｉｎ／Ｖｏｕｔを記憶している場合（Ｓ３５６でＹＥＳ）、退室判断部４３は、この所定時間Ｔ３前に算出された音量レベル比Ｖｉｎ／Ｖｏｕｔと、今回新たに算出された音量レベル比Ｖｉｎ／Ｖｏｕｔとを比較し、今回新たに算出された音量レベル比Ｖｉｎ／Ｖｏｕｔが、所定時間Ｔ３前に算出された音量レベル比Ｖｉｎ／Ｖｏｕｔから所定値Ｐ（例えば５ｄＢ）以上低下したか否かを判断する（Ｓ３５７）。今回新たに算出された音量レベル比Ｖｉｎ／Ｖｏｕｔが、所定時間Ｔ３前に算出された音量レベル比Ｖｉｎ／Ｖｏｕｔから所定値Ｐ以上低下していないならば（Ｓ３５７でＮＯ）、Ｓ３５４に戻る。
【０１２１】
一方、今回新たに算出された音量レベル比Ｖｉｎ／Ｖｏｕｔが、所定時間Ｔ３前に算出された音量レベル比Ｖｉｎ／Ｖｏｕｔから所定値Ｐ以上低下している場合（Ｓ３５７でＹＥＳ）、その旨を主制御部４４に通知する。これを受けて、主制御部４４は、楽曲データの出力先ワイヤレススピーカ１ａのＩＤを出力停止指示送信部４０に通知する。そして、出力停止指示送信部４０は、出力先ワイヤレススピーカ１ａのＩＤの指定を伴う出力停止指示をワイヤレスネットワークインターフェース部２１から同報送信する（Ｓ３５８）。このとき、入力音量レベル測定部２５は、入力音量レベルＶｉｎの測定を停止してもよい。
【０１２２】
その後、主制御部４４は、所定のタイムアウト時間Ｔ４（例えば３分）の経過によりタイムアウトするまでの間（Ｓ３６１でＮＯ）、グラフィカルユーザインターフェース部２２を介してリスナーから復旧操作を受け付けるのを待つ（Ｓ３５９）。
【０１２３】
そして、主制御部４４は、グラフィカルユーザインターフェース部２２を介してリスナーから復旧操作を受け付けると（Ｓ３５９でＹＥＳ）、楽曲データの出力先ワイヤレススピーカ１ａのＩＤを復旧指示送信部２４に通知する。そして、復旧指示送信部２４は、出力先ワイヤレススピーカ１ａのＩＤの指定を伴う復旧指示をワイヤレスネットワークインターフェース部２１から同報送信する（Ｓ３６０）。入力音量レベルＶｉｎの測定が停止されている場合には、入力音量レベル測定部２５は、入力音量レベルＶｉｎの測定を再開する。その後、Ｓ３５４に戻る。
【０１２４】
一方、主制御部４４は、リスナーから復旧操作を受け付けることなく（Ｓ３５９でＮＯ）、タイムアウト時間Ｔ４の経過によりタイムアウトすると（Ｓ３６１でＹＥＳ）、楽曲データの出力先ワイヤレススピーカ１ａのＩＤを電源オフ指示送信部４１に通知する。そして、電源オフ指示送信部４１は、出力先ワイヤレススピーカ１ａのＩＤの指定を伴う電源オフ指示をワイヤレスネットワークインターフェース部２１から同報送信する（Ｓ３６２）。それから、主制御部４４は、入力音量レベル測定部２５に入力音量レベルＶｉｎの測定終了を指示する。これを受けて、入力音量レベル測定部２５は、入力音量レベルＶｉｎの測定を終了する（Ｓ３６３）。その後、主制御部４４は、マイク部２０をオフにして（Ｓ３６４）、このフローを終了する。
【０１２５】
また、主制御部４４は、ワイヤレススピーカ１ａの遠隔制御の終了操作を、グラフィカルユーザインターフェース部２２を介してリスナーから受け付けると（Ｓ３６５でＹＥＳ）、入力音量レベル測定部２５に入力音量レベルＶｉｎの測定終了を指示する。これを受けて、入力音量レベル測定部２５は、入力音量レベルＶｉｎの測定を終了する（Ｓ３６３）。その後、主制御部４４は、マイク部２０をオフにして（Ｓ３６４）、このフローを終了する。
【０１２６】
以上、本発明の第二実施の形態について説明した。
【０１２７】
本実施の形態においても、上記第一実施の形態と同様に、ワイヤレススピーカ１ａのスピーカ部１０から出力されたオーディオ信号の出力音量レベルＶｏｕｔとオーディオコントローラ２ａのマイク部２０に入力されたオーディオ信号の入力音量レベルＶｉｎとを比較し、両者の音量レベル比Ｖｉｎ／Ｖｏｕｔから、このオーディオコントローラ２ａを携帯するリスナーがワイヤレススピーカ１ａの設置部屋から退室したか否かを判断している。そして、リスナーが退室したと判断した場合に、ワイヤレススピーカ１ａからのオーディオ信号の出力を停止する。このため、オーディオ信号を出力中のワイヤレススピーカ１ａの設置部屋にいるリスナーが、オーディオ信号の出力を停止することなく退室した場合に、オーディオ信号の出力を自動で停止することができるので、無駄なオーディオ信号の出力を抑制して電力消費を低減することができる。
【０１２８】
また、本実施の形態において、オーディオコントローラ２ａは、ワイヤレススピーカ１ａにオーディオ信号の出力を停止させるための出力停止指示を送信後、所定のタイムアウト時間Ｔ４経過前にリスナーから復旧操作を受け付けると、ワイヤレススピーカ１ａにオーディオ信号の出力を再開させるための復旧指示を送信する。一方、リスナーから復旧操作を受け付けることなく、タイムアウト時間Ｔ４の経過によりタイムアウトした場合には、ワイヤレススピーカ１ａに、楽曲データのオーディオ信号への再生を停止して、電源をオフにするための電源オフ指示を送信する。したがって、オーディオコントローラ２ａを携帯するリスナーがワイヤレススピーカ１ａの設置部屋から退室後に直ぐ戻ってきたような場合、簡単な操作で楽曲データを引き続き楽しむことができる一方、退室したまま戻らない場合には、ワイヤレススピーカ１ａの電源を自動的に切断することができるので、ワイヤレススピーカ１ａの消費電力を効率的に低減することができる。
【０１２９】
なお、本実施の形態でも、上記第一実施の形態と同様、所定時間Ｔ３内に音量レベル比Ｖｉｎ／Ｖｏｕｔが所定値Ｐ以上低下した場合に、オーディオコントローラ２ａを携帯するリスナーがワイヤレススピーカ１ａの設置部屋から退室したものと判断している（図７のＳ１６３、Ｓ１７１、図１１のＳ３５７）。しかしながら、上記第一実施の形態で説明したように、リスナーがワイヤレススピーカ１ａの音量ボリュームを意図的に下げた場合、オーディオコントローラ２ａのマイク部２０の性能によっては、リスナーが退室したものと誤判断する可能性がある。そこで、所定時間Ｔ３内に音量レベル比Ｖｉｎ／Ｖｏｕｔが所定値Ｐ以上低下した場合でも、音量ボリュームが所定値未満ならば、リスナーが退室したものとは判断しないようにしてもよい。
【０１３０】
また、本実施の形態でも、上記第一実施の形態と同様、ワイヤレススピーカ１ａのスピーカ部１０から出力されたオーディオ信号の出力音量レベルＶｏｕｔとオーディオコントローラ２ａのマイク部２０に入力されたオーディオ信号の入力音量レベルＶｉｎとを比較し、両者の音量レベル比Ｖｉｎ／Ｖｏｕｔから、このオーディオコントローラ２ａを携帯するリスナーがワイヤレススピーカ１ａの設置部屋から退室したか否かを判断している。しかし、本発明はこれに限定されない。本発明は、ワイヤレススピーカ１ａのスピーカ部１０から出力されたオーディオ信号の出力特性とオーディオコントローラ２ａのマイク部２０に入力されたオーディオ信号の入力特性との比較結果に基づいて、オーディオコントローラ２ａを携帯するリスナーがワイヤレススピーカ１ａの周辺から離れたか否かを判断するものであればよい。
【０１３１】
例えば、ワイヤレススピーカ１ａにおいて、所定間隔Ｔ１毎に、所定時間Ｔ２内にスピーカ部１０から出力されたオーディオ信号の出力波形を測定して、オーディオコントローラ２ａに送信するとともに、オーディオコントローラ２ａにおいて、所定間隔Ｔ１毎に、所定時間Ｔ２内にマイク部２０に入力されたオーディオ信号の入力波形を測定する。そして、測定した最新の入力波形と、ワイヤレススピーカ１ａから受信した最新の出力波形とを比較し、入力波形の出力波形に対する遅延時間（位相差）が所定時間以上であるか否かに基づいて、このオーディオコントローラ２ａを携帯するリスナーがワイヤレススピーカ１ａの周辺から離れたか否かを判断する。
【０１３２】
また、本発明は上記の各実施の形態に限定されるものではなく、その要旨の範囲内で数々の変形が可能である。
【０１３３】
例えば、上記の各実施の形態において、オーディオコントローラ２、２ａは、ワイヤレススピーカ１、１ａに各種指示を同報送信している。しかし、オーディオコントローラ２、２ａが各ワイヤレススピーカ１、１ａのアドレスを認識している場合、同報送信に代えてユニキャスト送信する構成としてもよい。
【０１３４】
また、上記の各実施の形態において、オーディオコントローラ２、２ａは、アクセスポイント４およびネットワーク５経由でワイヤレススピーカ１、１ａに接続されているが、本発明はこれに限定されない。無線ＬＡＮのアドホックモード、Ｂｌｕｅｔｏｏｔｈ（登録商標）等の近距離無線通信により、オーディオコントローラ２、２ａおよびワイヤレススピーカ１、１ａがワイヤレスネットワークを介して直接接続される構成としてもよい。
【０１３５】
また、上記の各実施の形態では、メディアサーバ３をネットワーク５に接続しているが、メディアサーバ３はワイヤレスネットワークに接続されていてもよい。また、メディアサーバ３は、オーディオコントローラ２、２ａあるいはいずれかのワイヤレススピーカ１、１ａに内蔵されていてもよい。なお、メディアサーバ３がオーディオコントローラ２、２ａに内蔵されている場合、ワイヤレススピーカ１、１ａは、オーディオコントローラ２、２ａから楽曲データを取得する。また、メディアサーバ３がいずれかのワイヤレススピーカ１、１ａに内蔵されている場合、他のワイヤレススピーカ１、１ａは、メディアサーバ３が内蔵されたワイヤレススピーカ１、１ａから楽曲データを取得する。
【符号の説明】
【０１３６】
１、１ａ、１−１〜１−３、１ａ−１〜１ａ−３：ワイヤレススピーカ、  ２、２ａ：オーディオコントローラ、  ３：メディアサーバ、  ４：アクセスポイント、  ５：ネットワーク、  １０：スピーカ部、  １１：ワイヤレスネットワークインターフェース部、  １２：指示受付部、  １３：楽曲データ取得部、  １４：楽曲データ記憶部、  １５：楽曲データ再生部、  １６：出力音量レベル測定部、  １７：入力音量レベル受信部、  １８、４３：退室判断部、  １９、２７、３１、４４：主制御部、  ２０：マイク部、  ２１：ワイヤレスネットワークインターフェース部、  ２２：グラフィカルユーザインターフェース部、  ２３：再生指示送信部、  ２４：復旧指示送信部、  ２５：入力音量レベル測定部、  ２６：入力音量レベル通知部、  ３０：出力音量レベル通知部、  ４０：出力停止指示送信部、  ４１：電源オフ指示送信部、  ４２：出力音量レベル受信部
【図１】
0006632855.tif 000002
【図２】
0006632855.tif 000003
【図３】
0006632855.tif 000004
【図４】
0006632855.tif 000005
【図５】
0006632855.tif 000006
【図６】
0006632855.tif 000007
【図７】
0006632855.tif 000008
【図８】
0006632855.tif 000009
【図９】
0006632855.tif 000010
【図１０】
0006632855.tif 000011
【図１１】
0006632855.tif 000012